(57)【要約】      （修正有）【課題】設置が容易で簡易な構造でありながら、安全に濃度管理されるオゾン雰囲気下で殺菌及び殺ウイルスが可能な空気清浄化ルームを提供する。【解決手段】空気清浄化ルーム１は、複数の柱材及び柱材上部に横架した横架材を含む枠体、枠体に取り付けて内外を気密或いは準気密に区画する区画体２２、区画体に設けた出入口２３、及び、区画体に形成された通気用開口部分を開閉可能な扉部を設けた換気口２４を有するルーム本体部２と、ルーム本体部内に設置したオゾン発生装置と、ルーム本体部内の枠体又は区画体に取付され、各々が水平方向に所定間隔で配置された、オゾン濃度を測定可能且つ測定したオゾン濃度の数値データの信号を機外に送信する複数のオゾン濃度測定センサーと、ルーム本体部内外の何れかに配置されてオゾン発生装置を制御する制御装置５を備える。【選択図】図１
0003232923.tif 000002
【実用新案登録請求の範囲】
【請求項１】
複数の柱材及び該柱材の上部に架け渡された横架材を含む枠体、該枠体に取り付けられて内外を気密或いは準気密に区画する区画体、該区画体に設けられた出入口、及び、同区画体に形成された通気可能な開口部分で該開口部分を開閉可能な扉部が設けられた換気口を有するルーム本体部と、
該ルーム本体部内に設置された、オゾンを発生可能なオゾン発生装置と、
前記ルーム本体部内において前記枠体又は前記区画体に複数が取り付けられ、各々が水平方向に間隔を開けて配置された、オゾン濃度を測定可能且つ測定されたオゾン濃度の数値データの信号を機外に送信可能なオゾン濃度測定センサーと、
前記ルーム本体部内又は前記ルーム本体部外のいずれかに配置され、前記オゾン発生装置を制御可能な制御装置と、を備える
空気清浄化ルーム。
【請求項２】
前記換気口に配設された換気ファンを更に備える
請求項１に記載の空気清浄化ルーム。
【請求項３】
前記換気口が、筒状であって、同換気口に基端が接続されて連通すると共に、先端が前記ルーム本体部外に延設された延長導出部を有し、該延長導出部の先端側に配設された換気ファンを更に備える
請求項１に記載の空気清浄化ルーム。
【請求項４】
前記ルーム本体部が、前記区画体の外側部分に、外部から視認可能な透明或いは半透明なポケット状の収納部を有する
請求項１乃至請求項３のいずれかに記載の空気清浄化ルーム。
【請求項５】
前記制御装置が、タッチパネル式の表示部を有する情報通信端末であるか、又は、本体から分離可能なモニタを有する情報通信端末であり、
前記収納部が、前記タッチパネル式の表示部を有する情報通信端末、又は、分離した前記モニタを収納可能な大きさである
請求項４に記載の空気清浄ルーム。
【請求項６】
前記オゾン濃度測定センサーから送信された信号を受信し、測定値として記録可能な記録装置を更に備える
請求項１乃至請求項５のいずれかに記載の空気清浄化ルーム。
【請求項７】
前記柱材及び前記横架材のいずれか又は両方に伸縮機構が設けられていると共に、前記区画体がシート状である
請求項１乃至請求項６のいずれかに記載の空気清浄化ルーム。
【請求項８】
複数の柱材及び該柱材の上部に架け渡された横架材を含み、少なくとも該横架材に伸縮機構が設けられた枠体、該枠体に取り付けられて内外を気密或いは準気密に区画するシート状の区画体、該区画体に設けられたカーテン状の出入口、同区画体に形成された通気可能な開口部、該開口部分を開閉可能な扉部、及び、筒状であって、該開口部に基端が接続されて連通すると共に、先端が前記区画体の外側方向に延設された延長導出部が設けられた換気口、及び、同区画体の外側部分に設けられた外部から視認可能な透明或いは半透明なポケット状の収納部、を有するルーム本体部と、
該ルーム本体部内に設置された、オゾンを発生可能なオゾン発生装置と、
前記ルーム本体部内において前記枠体又は前記区画体に複数が取り付けられ、各々が水平方向に間隔を開けて配置された、オゾン濃度を測定可能且つ測定されたオゾン濃度の数値データの信号を機外に送信可能な無線式のオゾン濃度測定センサーと、
該オゾン濃度測定センサーから送信された前記信号を受信し、測定値として記録可能な記録部、及び、前記オゾン発生装置を制御可能な制御部を含み、タッチパネル式の表示部を有し、前記収納部に収納可能な大きさである情報通信端末であるか、又は、本体から分離可能なモニタを有し、分離した同モニタが前記収納部に収納可能な大きさである情報通信端末である、制御装置と、
前記延長導出部の先端側に配設された換気ファンと、を備える
空気清浄化ルーム。
【考案の詳細な説明】
【技術分野】
【０００１】
本考案は、空気清浄化ルームに関する。更に詳しくは、従来のクリーンルームと比較して設置容易で簡易な構造でありながら、安全に濃度管理されるオゾン雰囲気下で殺菌及び殺ウイルスを行いうる空気清浄化ルームに関する。
【背景技術】
【０００２】
従来から、殺菌及び殺ウイルスを行うためのクリーンルームが、病院や研究所、工場等の建物内に設けられている。病院等に設けるクリーンルームとしては、例えば、下記の特許文献１に示されているようなオゾン殺菌システムが提案されている。
【０００３】
特許文献１に係るオゾン殺菌システムは、オゾン発生機に人の接近・離反を感知するセンサーを接続するとともに、オゾン発生機のオゾン吹出し口を殺菌必要エリアに臨ませ、殺菌必要エリアに対して人が接近・離反したとき、センサーからの信号に基づきオゾン発生機を駆動・停止させるようにしたことを特徴とするものである。
【０００４】
前述のオゾン殺菌システムによれば、殺菌必要エリアに入室することで、オゾンの強力な酸化力による殺菌作用で人体に付着している雑菌を死滅させることができ、従来のように入室する際に、エアーシャワーを浴びたり、消毒液で手を洗浄したり、粘着テープを衣服等に押し当てたりして人体に付着している雑菌を除去する必要がなく、殺菌必要エリアに短時間で入室できるとともに、煩わしい手間も不要である、とされている。
【先行技術文献】
【特許文献】
【０００５】
【特許文献１】特開２００２−２５３６４７号公報
【考案の概要】
【考案が解決しようとする課題】
【０００６】
一方、前述のオゾン殺菌システムは、天井裏の工事等を伴う大掛かりなものであり、その設置に手間や時間が掛かるものであり、また、工費もある程度高額なものとなる。そして、感染症流行時には、仮設でもいいので急ぎクリーンルームを設置したいとのニーズが予想されるが、前述のオゾン殺菌システムは同ニーズを満たすことができるとは言い難い。
【０００７】
本考案は、以上の点を鑑みて創案されたものであり、従来のクリーンルームと比較して設置容易で簡易な構造でありながら、安全に濃度管理されるオゾン雰囲気下で殺菌及び殺ウイルスを行いうる空気清浄化ルームを提供することを目的とするものである。
【課題を解決するための手段】
【０００８】
上記の目的を達成するために本考案の空気清浄化ルームは、複数の柱材及び該柱材の上部に架け渡された横架材を含む枠体、該枠体に取り付けられて内外を気密或いは準気密に区画する区画体、該区画体に設けられた出入口、及び、同区画体に形成された通気可能な開口部分で該開口部分を開閉可能な扉部が設けられた換気口を有するルーム本体部と、該ルーム本体部内に設置された、オゾンを発生可能なオゾン発生装置と、前記ルーム本体部内において前記枠体又は前記区画体に複数が取り付けられ、各々が水平方向に間隔を開けて配置された、オゾン濃度を測定可能且つ測定されたオゾン濃度の数値データの信号を機外に送信可能なオゾン濃度測定センサーと、前記ルーム本体部内又は前記ルーム本体部外のいずれかに配置され、前記オゾン発生装置を制御可能な制御装置と、を備える。
【０００９】
ここで、ルーム本体部は、前述の柱材及び横架材を含む枠体を有することにより、空気清浄化ルームの柱と梁（桁）を構成することができる。また、ルーム本体部は、前述の区画体を有することにより、ルーム内外を気密或いは準気密に区画する壁を構成することができ、これにより、ルーム本体部内のオゾンの漏出、及び、ルーム本体部外の処理前空気の流入を抑制することができる。
【００１０】
そして、ルーム本体部は、出入口を有することにより、ルーム本体部への出入を行うことができる。また、ルーム本体部は、前述の換気口を有することにより、ルーム本体部内のオゾン濃度が基準よりも上昇し過ぎた際に換気口の扉部を開けて換気を行い、ルーム本体部内のオゾン濃度が基準よりも下回れば換気口の扉部を閉じることで、適切なオゾン濃度に調整することができる。
【００１１】
オゾン発生装置は、ルーム本体部内に設置されてオゾンを発生させることができる。なお、「オゾン発生装置」については、その構造を特に限定するものではないが、例えば、電球・蛍光管・ＬＥＤ等を含む紫外線ランプを利用するものが好適に使用されるが、これに限定するものではなく、他の原理による公知装置であってもよい。
【００１２】
オゾン濃度測定センサーは、オゾン濃度を測定し、測定されたオゾン濃度の数値データの信号を機外に送信することができる。加えて、オゾン濃度測定センサーは、水平方向に間隔を開けて複数が配置されたことにより、ルーム本体部内の各所におけるオゾン濃度を測定できる。
【００１３】
つまり、オゾン濃度測定センサーが前述の構成であることにより、空気清浄化ルームの管理者は、ルーム本体部内の各所におけるオゾン濃度の情報を情報通信端末等で受信して知覚し、場所による偏りを考慮した上で、適切なオゾン濃度となるように管理及び調整することができる。
【００１４】
なお、オゾン濃度測定センサーは、枠体又は区画体に取り付けられるが、オゾン濃度測定センサーの重量を支持しやすい点で、枠体に取り付けることが好ましく、更に個別の柱材に取り付けた場合は自ずと「各々が水平方向に間隔を開けて配置された」態様になるためより好ましい。
【００１５】
制御装置は、ルーム本体部内又はルーム本体部外のいずれかに配置され、管理者はルーム本体部内外のいずれかでオゾン発生装置を制御することができる。「制御装置」としては、例えば専用のコンピュータソフトウェア又はアプリケーションをインストールした各種の情報通信端末が挙げられるが、これに限定するものではなく、例えば、制御装置に接続したスイッチ類であってもよい。
【００１６】
なお、オゾン発生装置と制御装置の間の信号伝達は、配線が不要で設置が容易なことから無線方式であることが好ましいが、これに限定するものではなく、例えば、有線方式であってもよい。
【００１７】
このように、本考案によれば、従来のクリーンルームと比較して設置容易で簡易な構造でありながら、安全に濃度管理されるオゾン雰囲気下で殺菌及び殺ウイルスを行いうる空気清浄化ルームを提供することができる。
【００１８】
また、換気口に配設された換気ファンを更に備える場合は、ルーム本体部内の強制換気を行うことができる。これにより、ルーム本体部内のオゾン濃度が基準よりも上昇し過ぎた際に、換気ファンを稼働させて換気を行い、適切なオゾン濃度に調整することができる。なお、換気ファンは、ルーム本体部内の空気を排気するもののほか、ルーム本体部内に空気を送気するものであってもよい。
【００１９】
また、換気口が、筒状であって、同換気口に基端が接続されて連通すると共に、先端がルーム本体部外に延設された延長導出部を有し、同延長導出部の先端側に配設された換気ファンを更に備える場合は、換気ファンを着脱しやすく、取り付けた換気ファンによってルーム本体部内の強制換気を行うことができる。
【００２０】
これにより、ルーム本体部内のオゾン濃度が基準よりも上昇し過ぎた際に、換気ファンを稼働させて換気を行い、適切なオゾン濃度に調整することができる。なお、換気ファンは、ルーム本体部内の空気を排気するもののほか、ルーム本体部内に空気を送気するものであってもよい。また、換気口が、前述した構成の延長導出部を有することにより、先端に換気ファンを嵌め込む等して接続しやすい構造となっている。
【００２１】
また、ルーム本体部が、区画体の外側部分に、外部から視認可能な透明或いは半透明なポケット状の収納部を有する場合は、同部分に収納物を収納することができる。ここで「収納物」としては、例えば、信号表示器であってもよいし、オゾン濃度等のチェック日時や担当者名を記録したシートであってもよいし、後述するタッチパネル式の表示部を有し運搬可能な情報通信端末（以下「タブレット端末」という）、又は、管理用パーソナルコンピュータ（以下「パソコン」という）に接続されて同パソコンから分離したモニタ、等であってもよい。
【００２２】
信号表示器としては、例えば、オゾン発生装置に接続されて緑橙赤のランプを備え、オゾン濃度測定センサーから受信した信号に基づいて、ルーム本体部内が除菌工程中である場合に赤ランプが、オゾン発生中の場合に橙ランプが、ルーム本体部内の除菌工程が完了している場合に緑ランプが、点灯する構造のものや、オゾン発生装置に接続されて青黄赤のランプを備え、オゾン濃度測定センサーから受信した信号に基づいてルーム本体部内のオゾン濃度が基準値以内（安全）の場合に青ランプが、基準値に近づいた場合に黄ランプが、基準値を超えた場合に赤ランプが、それぞれ点灯する構造のものが挙げられるが、他の構造を除外するものではない。
【００２３】
また、制御装置が、タッチパネル式の表示部を有する情報通信端末であるか、又は、本体から分離可能なモニタを有する情報通信端末であり、収納部が、タッチパネル式の表示部を有する情報通信端末、又は、分離したモニタを収納可能な大きさである場合は、収納部の透明或いは半透明な部分を通じて、情報通信端末の表示部又はモニタを視認可能な態様で、収納部に情報通信端末の表示部又はモニタを収納することができる。
【００２４】
これにより、ユーザーは、収納部の透明或いは半透明な部分を通じて、情報通信端末の表示部又はモニタに表示された情報を常時視認することができ、ルーム本体部内のオゾン濃度等の測定情報を、ルーム本体部外から知覚することができる。加えて、制御装置がタッチパネル式の表示部を有する情報通信端末であるときは、同情報通信端末を収納部から取り出してオゾン発生装置を制御する等の必要な操作をルーム本体部外で適宜行うこともできる。
【００２５】
また、オゾン濃度測定センサーから送信された信号を受信し、測定値として記録可能な記録装置を更に備える場合は、記録装置で空気清浄化ルーム内のオゾン濃度の測定値の経時的変化を記録することができる。これによって、ユーザーは、得られた測定値の情報を、空気清浄化ルームを運用する上で必要な記録や、今後の運用の参考情報として利用することができる。なお、記録装置は、サーバーやハードディスク等の外部記録媒体であってもよいし、情報通信端末（タブレット端末やパソコン）と一体化されたものであってもよい。また、オゾン濃度測定センサーと記録装置の間の信号伝達は、配線が不要で設置が容易なことから無線方式であることが好ましいが、これに限定するものではなく、例えば、有線方式であってもよい。
【００２６】
また、柱材及び横架材のいずれか又は両方に伸縮機構が設けられていると共に、区画体がシート状である場合は、最大伸展値の範囲内で空気清浄化ルームのサイズを任意で調節することができ、更に簡易な構造であるため、屋内外への仮設用途で利便性が良い。
【００２７】
詳しくは、柱材に伸縮機構が設けられていることにより、空気清浄化ルームの高さの調節を行うことができ、また、横架材に伸縮機構が設けられていることにより、空気清浄化ルームの幅或いは奥行き方向の広さの調節を行うことができる。そして、区画体がシート状であることにより、柱材及び横架材のいずれか又は両方が伸縮機構によって伸縮したとしても、区画体の一部を折り曲げる又は畳む等して、適切なサイズで張設することができる。
【００２８】
更に、柱材に伸縮機構が設けられていることにより、最大伸展値よりも長さ方向に短くすることができるため、運搬時及び保管時に嵩張らずに済み、場所を取らず、運搬しやすいため、利便性が良い。更にまた、区画体がシート状であることにより、小さく畳むことができるため、運搬時及び保管時に嵩張らずに済み、場所を取らず、運搬しやすいため、利便性が良い。
【００２９】
「伸縮機構」としては、例えば、入れ子伸縮機構、継ぎ手伸縮機構、折り畳み伸縮機構或いはスライド伸縮機構、又はこれらを組み合わせたものが挙げられるが、これに限定するものではなく、他の公知機構であってもよい。また、「区画体」としては、例えば、テント地が好適に使用されるが、これに限定するものではなく、帆布等の布地、紙質材シート、各種合成樹脂シートや、その他の公知素材のシートであってもよい。
【００３０】
上記の目的を達成するために本考案の空気清浄化ルームは、複数の柱材及び該柱材の上部に架け渡された横架材を含み、少なくとも該横架材に伸縮機構が設けられた枠体、該枠体に取り付けられて内外を気密或いは準気密に区画するシート状の区画体、該区画体に設けられたカーテン状の出入口、同区画体に形成された通気可能な開口部、該開口部分を開閉可能な扉部、及び、筒状であって、該開口部に基端が接続されて連通すると共に、先端が前記区画体の外側方向に延設された延長導出部が設けられた換気口、及び、同区画体の外側部分に設けられた外部から視認可能な透明或いは半透明なポケット状の収納部、を有するルーム本体部と、該ルーム本体部内に設置された、オゾンを発生可能なオゾン発生装置と、前記ルーム本体部内において前記枠体又は前記区画体に複数が取り付けられ、各々が水平方向に間隔を開けて配置された、オゾン濃度を測定可能且つ測定されたオゾン濃度の数値データの信号を機外に送信可能な無線式のオゾン濃度測定センサーと、該オゾン濃度測定センサーから送信された前記信号を受信し、測定値として記録可能な記録部、及び、前記オゾン発生装置を制御可能な制御部を含み、タッチパネル式の表示部を有し、前記収納部に収納可能な大きさである情報通信端末であるか、又は、本体から分離可能なモニタを有し、分離した同モニタが前記収納部に収納可能な大きさである情報通信端末である、制御装置と、前記延長導出部の先端側に配設された換気ファンと、を備える。
【００３１】
ここで、ルーム本体部は、前述の柱材及び横架材を含む枠体を有することにより、空気清浄化ルームの柱と梁（桁）を構成することができる。なお、少なくとも横架材に伸縮機構が設けられていることにより、空気清浄化ルームの幅或いは奥行き方向の広さの調節を行うことができる。更に、少なくとも横架材に伸縮機構が設けられていることにより、最大伸展値よりも長さ方向に短くすることができるため、運搬時及び保管時に嵩張らずに済み、場所を取らず、運搬しやすいため、利便性が良い。
【００３２】
更に、ルーム本体部は、前述の区画体を有することにより、ルーム内外を気密或いは準気密に区画する壁を構成することができ、これにより、ルーム本体部内のオゾンの漏出、及び、ルーム本体部外の処理前空気の流入を抑制することができる。そして、区画体がシート状であることにより、柱材及び横架材のいずれか又は両方が伸縮機構によって伸縮したとしても、区画体の一部を折り曲げる又は畳む等して、適切なサイズで張設することができる。更にまた、区画体がシート状であることにより、小さく畳むことができるため、運搬時及び保管時に嵩張らずに済み、場所を取らず、運搬しやすいため、利便性が良い。
【００３３】
そして、ルーム本体部は、出入口を有することにより、ルーム本体部への出入を行うことができる。なお、出入口は、カーテン状であるため出入りがしやすく、また、シート状である区画体と同じ素材で形成することも可能であるため、製造が容易でコスト低減にも寄与することができる。
【００３４】
更にまた、ルーム本体部は、前述の換気口を有することにより、ルーム本体部内のオゾン濃度が基準よりも上昇し過ぎた際に換気口の扉部を開けて換気を行い、ルーム本体部内のオゾン濃度が基準よりも下回れば換気口の扉部を閉じることで、適切なオゾン濃度に調整することができる。
【００３５】
なお、前述の換気口は、延長導出部を有することにより、その先端側に配設される換気ファンを着脱しやすく、取り付けた換気ファンによってルーム本体部内の強制換気を行うことができる。これにより、ルーム本体部内のオゾン濃度が基準よりも上昇し過ぎた際に、換気ファンを稼働させて換気を行い、適切なオゾン濃度に調整することができる。
【００３６】
加えて、ルーム本体部は、前述の収納部を有することにより、同部分に収納物を収納することができる。ここで「収納物」としては、例えば、タッチパネル式の表示部を有する情報通信端末、又は、情報通信端末の本体から分離可能なモニタ、オゾン濃度測定センサーから受信した信号に基づいてランプが点灯する構造の信号表示器、オゾン濃度等のチェック日時や担当者名を記録したシート等が挙げられる。
【００３７】
オゾン発生装置は、ルーム本体部内に設置されてオゾンを発生させることができる。また、オゾン濃度測定センサーは、オゾン濃度を測定し、測定されたオゾン濃度の数値データの信号を機外に送信することができる。加えて、オゾン濃度測定センサーは、水平方向に間隔を開けて複数が配置されたことにより、ルーム本体部内の各所におけるオゾン濃度を測定できる。つまり、オゾン濃度測定センサーが前述の構成であることにより、空気清浄化ルームの管理者は、ルーム本体部内の各所におけるオゾン濃度の情報を知覚し、場所による偏りを考慮した上で、適切なオゾン濃度となるように管理及び調整することができる。
【００３８】
制御装置は、タッチパネル式の表示部を有する情報通信端末、又は、本体から分離可能なモニタを有する情報通信端末のいずれかであり、これを以て、管理者がオゾン発生装置を制御することができる。
【００３９】
なお、制御装置は、ルーム本体部内又はルーム本体部外のいずれに配置する態様であってもよいが、ルーム本体部の外側部分に設けた収納部に収納する（即ち、ルーム本体部外に配置する態様である）ことで、収納部の透明或いは半透明な部分を通じて、情報通信端末の表示部又はモニタを視認可能な態様で、収納部に情報通信端末の表示部又はモニタを収納することができる。
【００４０】
これにより、ユーザーや管理者は、収納部の透明或いは半透明な部分を通じて、情報通信端末の表示部又はモニタに表示された情報を常時視認することができ、ルーム本体部内のオゾン濃度等の測定情報を、ルーム本体部外から知覚することができる。加えて、制御装置がタッチパネル式の表示部を有する情報通信端末であるときは、同情報通信端末を収納部から取り出してオゾン発生装置を制御する等の必要な操作をルーム本体部外で適宜行うこともできる。
【００４１】
なお、オゾン発生装置又はオゾン濃度測定センサーと、制御装置の間の信号伝達は、配線が不要で設置が容易なことから無線方式であることが好ましいが、これに限定するものではなく、例えば、有線方式であってもよい。
【００４２】
このように、本考案によれば、従来のクリーンルームと比較して設置容易で簡易な構造でありながら、安全に濃度管理されるオゾン雰囲気下で殺菌及び殺ウイルスを行いうる空気清浄化ルームを提供することができる。更に、同空気清浄化ルームは、ルーム本体部が前述の枠体及び区画体から成る簡易な構造であるため、屋内外への仮設用途で利便性が良い。
【考案の効果】
【００４３】
本考案によれば、従来のクリーンルームと比較して設置容易で簡易な構造でありながら、安全に濃度管理されるオゾン雰囲気下で殺菌及び殺ウイルスを行いうる空気清浄化ルームを提供することができる。
【図面の簡単な説明】
【００４４】
【図１】本考案の空気清浄化ルームを正面方向から示した斜視説明図である。
【図２】図１に示す空気清浄化ルームを背面方向から示した斜視説明図である。
【図３】図１に示す空気清浄化ルームの区画体を外した状態の斜視説明図である。
【図４】図１に示す空気清浄化ルームの構造を示す平面視説明図である。
【図５】オゾン発生装置の斜視説明図である。
【図６】図５に示すオゾン発生装置を背面方向から示す斜視説明図である。
【考案を実施するための形態】
【００４５】
図１ないし図６を参照して、本考案の実施の形態を更に詳細に説明する。なお、各図における符号は、煩雑さを軽減し理解を容易にする範囲内で付している。また、図中に記載される矢印と共に記載した英文字は、Ｆが図１における正面側を、Ｂが図１における背面側を、Ｗが図１における幅方向を、Ｈが図１における高さ方向を、示している。
【００４６】
本実施の形態に係る空気清浄化ルーム１は、ルーム本体部２、オゾン発生装置３、オゾン濃度測定センサー４、制御装置５、及び、換気ファン６を備える。空気清浄化ルーム１を構成する各部について、以下詳述する。
【００４７】
（ルーム本体部２）
ルーム本体部２は、枠体２１及び区画体２２を有する。枠体２１は、４本の柱材２１１と、隣接する柱材２１１間の上部に架け渡された４本の横架材２１２から成る（図３参照）。
【００４８】
柱材２１１は、アルミニウム合金製であり、図３に示す矢印Ｈ（高さ方向）に伸縮可能な入れ子式伸縮機構で設けられている。また、各柱材２１１は、平面視で方形となるように配設されている（図３及び図４参照）。
【００４９】
横架材２１２は、アルミニウム合金製であり、図３の正面側及び背面側に位置する横架材２１２は矢印Ｗ（左右の幅方向）に、図３の左側及び右側に位置する横架材２１２は矢印Ｆ−Ｂ（奥行き方向）に、それぞれ伸縮可能なリンク式伸縮機構で設けられている。また、各横架材２１２は、平面視で方形となるように配設されている（図３参照）。
【００５０】
区画体２２は、ポリエステル基布に塩化ビニル樹脂が塗布されて成る気密或いは準気密なシート材により形成され、展開状態で略十字形状に設けられている。区画体２２は、その十字形状の中央領域が各横架材２１２により形成される平面視方形領域と重なるように載置し、周囲の４つの片部分を垂下させて柱材２１１に取り付けている。
【００５１】
即ち、区画体２２は、枠体２１に取り付けられて、前述した区画体２２の十字形状の中央領域が天井部分を構成すると共に、前述した区画体２２の十字形状の周囲の４つの片部分が正面と背面、左右両面の各側壁部分を構成し、空気清浄化ルーム１の内外を気密或いは準気密に区画する構造となっている。
【００５２】
なお、区画体２２は、前述した区画体２２の十字形状の周囲の４つの片部分のうち、正面に配置する片部分が先端方向に開口した門形に形成されており、門形開口部の辺縁には面ファスナーが設けられている。
【００５３】
そして、前述した区画体２２の門形開口部には、出入口２３が取り付けられている。出入口２３は、周縁部分に面ファスナーが設けられ、門形開口部の開口部に設けられた面ファスナーと着脱可能で、区画体２２に対してカーテン状に開閉することができる。出入口２３は区画体２２と同じ素材で形成されている。
【００５４】
区画体２２の側壁（本実施の形態では左側壁）の外側部分には、収納部２５が設けられている。収納部２５は、透明な合成樹脂材で形成され、上部が開口すると共に、制御装置５が収まる大きさのポケット形状に設けられている。
【００５５】
換気口２４は、区画体２２の出入口２３と反対側となる面（ルーム本体部２の背面側）に設けられ、開口部２４１、扉部２４２及び延長導出部２４３から成る。開口部２４１は、区画体２２に形成された通気可能な穴である。
【００５６】
扉部２４２は、開口部２４１を閉塞可能な大きさであり、上部が区画体２２に固着された幕体である。扉部２４２は、区画体２２と同じ素材で形成されており、延長導出部２４３の展開時や開口部２４１の閉塞時は、上側にロール状に巻き上げて保持される。
【００５７】
延長導出部２４３は、区画体２２と同じ素材で形成された筒状であって、開口部２４１に基端が接続されて開口部２４１を通じてルーム本体部２内と連通し、先端が区画体２２の外側方向に延設された構造である。
【００５８】
（オゾン発生装置３）
オゾン発生装置３は、ルーム本体部２内の背面となる区画体２２近傍に、架台８に載置されている。オゾン発生装置３は、本体部３０、蓋部３１、制御ユニット部３２、接続ポート部３３、紫外線ランプ部３４、給気口３５、及び、排気ファン３６を有する構造であって、すなわちオゾンを発生可能な装置である。
【００５９】
本体部３０は、合成樹脂製であり、正面側が開口した気密な箱体である。蓋部３１は、合成樹脂製であり、本体部３０正面側の開口部分を閉塞しうる大きさで開閉可能に設けられている。
【００６０】
制御ユニット部３２は、本体部３０内底面側に配置され、内部に制御機器を気密又は準気密に格納している。制御ユニット部３２の制御機器は、少なくとも、制御装置５との通信機能、紫外線ランプ部３４のオンオフ機能、及び、排気ファン３６のオンオフ機能を備える。
【００６１】
接続ポート部３３は、本体部３０背面側に設けられ、制御ユニット部３２と接続されている。接続ポート部３３には、外部電力からの受電コネクタ、ＵＳＢコネクタ（主に制御装置５との有線接続の際に使用）、信号表示器７との接続コネクタ（送電及び動作信号送信に使用）、制御装置５の送電コネクタ、及び、換気ファン６の送電コネクタが設けられている（各符号省略）。
【００６２】
紫外線ランプ部３４は、本体部３０内天部に平行に設けられた２本の紫外線ランプ及び取り付け器具から成る。
【００６３】
給気口３５は、本体部３０外の空気を本体部３０内に導気可能で、本体部３０左側面に設けられている。排気ファン３６は、本体部３０内の空気を本体部３０外に排気可能で、本体部３０右側面に設けられている。
【００６４】
（オゾン濃度測定センサー４）
オゾン濃度測定センサー４は、オゾン濃度の測定機能、測定されたオゾン濃度の数値データを信号化する機能、信号化した同データを機外に無線送信する機能を有する。オゾン濃度測定センサー４は、ルーム本体部２内において各柱材２１１の高さ方向上端近傍に、各々取り付けられている。すなわち、空気清浄化ルーム１におけるオゾン濃度測定センサー４は、合計で４つであり、各々が水平方向において同じ高さで、間隔を開けて配置された態様となっている。
【００６５】
（制御装置５）
制御装置５は、オゾン濃度測定センサー４から送信された前述の信号を受信する受信部、受信した同信号を測定値として記録可能な記録部、及び、オゾン発生装置３を制御可能な制御部を含み、タッチパネル式の表示部を有し、収納部５に収納可能な大きさであるタブレット端末（情報通信端末）である。
【００６６】
そして、制御装置５は、オゾン発生装置３を無線制御するコンピュータソフトウェア、オゾン濃度測定センサー４からの受信信号を記録するコンピュータソフトウェア、及び、記録部で記録したデータを表示するコンピュータソフトウェアがインストールされている。各コンピュータソフトウェアが協働して表示されるユーザーインターフェイスには、少なくとも、オゾン発生装置３のオンオフスイッチのアイコン、記録部で記録したデータの履歴を呼び出すスイッチのアイコンが表示され、これらスイッチを指で触れることで、キーボード等無しで操作することができる。
【００６７】
（換気ファン６）
換気ファン６は、排風方式であり、延長導出部２４３の先端側に配置され、延長導出部２４３に基部を嵌挿して設けている。
【００６８】
（信号表示器７）
信号表示器７は、オゾン発生装置３に接続されて緑橙赤のランプを備え、オゾン濃度測定センサー４から受信した信号に基づいて、ルーム本体部２内が除菌工程中である場合に赤ランプが、オゾン発生中の場合に橙ランプが、ルーム本体部２内の除菌工程が完了している場合に緑ランプが、点灯する構造である。図１において、収納部２５に収納されている。
【００６９】
本実施の形態では、柱材２１１は４本で、各柱材２１１が平面視で方形となるように配設されるが、これに限定するものではなく、例えば、柱材２１１は３本又は５本以上であってもよく、各柱材の配設により構成される平面視形状は三角形又は多角形であってもよい。
【００７０】
本実施の形態では、横架材２１２は４本で、各横架材２１２が平面視で方形となるように配設されるが、これに限定するものではなく、例えば、柱材２１１の数に合わせて横架材２１２の数が増減してもよいし、対向方向や対角線上にある柱材２１１の間を架け渡すように配設する態様であってもよい。
【００７１】
本実施の形態では、出入口２３、扉部２４２及び延長導出部２４３は、区画体２２と同じ素材で形成されているが、これに限定するものではなく、異なる素材で形成された態様であってもよい。また、区画体２２は、前述の素材以外を採用することも可能であり、例えば、合成樹脂材、木材、紙質材等の公知素材又はこれらを組み合わせたものであってもよく、特に長期間又は常時設置を目的とする場合は、硬質あるいは剛性が高い素材が好適に採用される。
【００７２】
本実施の形態では、本体部３０と蓋部３１は合成樹脂製であるが、これに限定するものではなく、例えば、金属材等他の公知材料又はこれらを組み合わせた態様で形成してもよい。また、本実施の形態では、接続ポート部３３は、前述した各種コネクタのほか、ＬＡＮケーブルや、他の外部接続機器を接続するポートを更に設けてもよい。更に、本実施の形態では、給気口３５と排気ファン３６を設ける位置は、左右逆であってもよく、また、本体部内の天部と底部に設けた態様等の設計であってもよい。
【００７３】
本実施の形態では、オゾン発生装置３は前述した構造であるが、これに限定するものではなく、オゾンを発生可能な装置であればよく、更に制御装置５によって外部から制御可能なものであることが好ましい。
【００７４】
本実施の形態では、オゾン濃度測定センサー４は、オゾン濃度の測定機能を有しているが、例えばＣＯ２濃度等の他の環境情報の測定機能を有していてもよい。また、本実施の形態では、オゾン濃度測定センサー４は、無線送信する機能を有しているが、有線送信機能のみからなる機材を除外するものではない。
【００７５】
本実施の形態では、オゾン濃度測定センサー４は、各柱材２１１の高さ方向上端近傍に１つずつ取り付けられているが、これに限定するものではなく、例えば、各柱材２１１の高さ方向下端近傍に各々取り付ける態様、各柱材２１１の高さ方向略中間に各々取り付ける態様、又は、区画体２２に各々取り付ける態様、等であってもよい。また、オゾン濃度測定センサー４は、各柱材２１１に取り付ける数を増減してもよく、例えば、一つおきの柱材２１１に取り付ける態様（すなわち、オゾン濃度測定センサー４が取り付けられない柱材が存在することになり、製造運用コスト減に寄与する）や、柱材２１１の高さ方向上端近傍、各柱材２１１の高さ方向略中間、及び、柱材２１１の高さ方向下端近傍に取り付ける態様（すなわち、１つの柱材２１１あたり３つのオゾン濃度測定センサー４が取り付けられていることになり、ルーム内各高さにおけるオゾン濃度の細やかな測定が可能になる）等であってもよい。
【００７６】
本実施の形態では、オゾン濃度測定センサー４は、各々が水平方向に間隔を開けて配置された態様としているが、これに限定するものではなく、例えば、柱材２１１毎に取り付け高さを変えてもよく、この場合、ルーム内各高さにおけるオゾン濃度の細やかな測定が可能になる。
【００７７】
本実施の形態では、換気ファン６は延長導出部２４３の先端側に配置されているが、
開口部２４１に直接配置する態様であってもよい。
【００７８】
本実施の形態では、信号表示器７の構成は前述の通りであるが、これに限定するものではなく、例えば、オゾン発生装置３に接続されて青黄赤のランプを備え、オゾン濃度測定センサー４から受信した信号に基づいてルーム本体部２内のオゾン濃度が基準値以内（安全）の場合に青ランプが、基準値に近づいた場合に黄ランプが、基準値を超えた場合に赤ランプが、それぞれ点灯する構造の信号表示器が点灯する構造であってもよい。
【００７９】
（作  用）
空気清浄化ルーム１の作用効果について説明する。
ルーム本体部２は、柱材２１１及び横架材２１２を含む枠体２１を有することにより、空気清浄化ルーム１の柱と梁（桁）を構成することができる。なお、柱材２１１に伸縮機構が設けられていることにより、空気清浄化ルーム１の高さの調節を行うことができ、また、横架材２１２に伸縮機構が設けられていることにより、空気清浄化ルーム１の幅及び奥行き方向の広さの調節を行うことができる。更にまた、伸縮機構が設けられていることで、長さ方向に短くすることができ、運搬時及び保管時に嵩張らずに済み、場所を取らず、運搬しやすいため、利便性が良い。
【００８０】
更に、区画体２２は、ルーム内外を気密或いは準気密に区画する壁を構成することができ、これにより、ルーム本体部２内のオゾンの漏出、及び、ルーム本体部２外の処理前空気の流入を抑制することができる。そして、区画体２２がシート状であることにより、柱材２１１及び横架材２１２のいずれか又は両方が伸縮機構によって伸縮したとしても、区画体２２の一部を折り曲げる又は畳む等して、適切なサイズで張設することができる。更にまた、区画体２２がシート状であることにより、小さく畳むことができるため、運搬時及び保管時に嵩張らずに済み、場所を取らず、運搬しやすいため、利便性が良い。
【００８１】
そして、出入口２３は、これによりルーム本体部２への出入を行うことができる。なお、出入口２３は、カーテン状であるため出入りがしやすく、面テープを留めることで密閉状態に保持でき、また、シート状である区画体２２と同じ素材で形成することも可能であるため、製造が容易でコスト低減にも寄与することができる。
【００８２】
更にまた、換気口２４は、ルーム本体部２内のオゾン濃度が基準よりも上昇し過ぎた際に扉部２４２を開けて換気を行い、ルーム本体部２内のオゾン濃度が基準よりも下回れば扉部２４２を閉じることで、適切なオゾン濃度に調整することができる。なお、換気口２４は、延長導出部２４３を有することにより、その先端側に配設される換気ファン６を着脱しやすく、取り付けた換気ファン６によってルーム本体部内の強制換気を行うことができる。これにより、ルーム本体部２内のオゾン濃度が基準よりも上昇し過ぎた際に、換気ファン６を稼働させて換気を行い、適切なオゾン濃度に調整することができる。
【００８３】
加えて、収納部２５は、同部分に収納物である制御装置５と信号表示器７を収納することができる。これにより、透明な収納部２５を通じて制御装置５の表示部に表示されるオゾン濃度を常時視認することができ（すなわち、ルーム本体部２外からオゾン濃度を知覚することができ）、場合によってはタッチパネル式の表示部を操作して、オゾン発生装置３の操作を行うことも可能である。また、信号表示器７は、前述の通りオゾン濃度を示す信号の色が点灯するので、透明な収納部２５を通じて、ルーム本体部２外からルーム本体部２内の工程（除菌工程中であるか否か、オゾン発生中であるか否か）を知覚することができる。
【００８４】
オゾン発生装置３は、ルーム本体部２でオゾンを発生させることができる。また、オゾン濃度測定センサー４は、ルーム本体部２内のオゾン濃度を測定し、測定されたオゾン濃度の数値データの信号を機外に送信する。加えて、オゾン濃度測定センサー４は、前述の配置であることにより、ルーム本体部２内の各所におけるオゾン濃度を測定できる。これにより、空気清浄化ルーム１の管理者は、ルーム本体部２内の各所におけるオゾン濃度の情報を知覚し、場所による偏りを考慮した上で、適切なオゾン濃度となるように管理及び調整することができる。
【００８５】
制御装置５は、これを以て、管理者がオゾン発生装置３を制御することができる。加えて、制御装置がタッチパネル式の表示部を有する情報通信端末である制御装置５を収納部２５から取り出してオゾン発生装置３を制御する等の必要な操作をルーム本体部２外で適宜行うこともできる。
【００８６】
このように、本実施の形態に係る考案によれば、従来のクリーンルームと比較して設置容易で簡易な構造でありながら、安全に濃度管理されるオゾン雰囲気下で殺菌及び殺ウイルスを行いうる空気清浄化ルーム１を提供することができる。更に、空気清浄化ルーム１は、ルーム本体部２が前述の枠体２１及び区画体２２から成る簡易な構造であるため、屋内外への仮設用途で利便性が良い。
【００８７】
また、空気清浄化ルーム１によれば、例えばインフルエンザやＣＯＶＩＤ−１９等の感染症流行時において、空港、駅、施設の出入り口、荷物の一時預かり所等の通常はクリーンルームを設置していないエリアに、空気清浄化可能な空間を大掛かりな工事を伴うことなく、簡易且つ早急に設置することができる。
【００８８】
このように設置した空気清浄化ルーム１は、例えば、貨物や荷物を所定時間保管することで、これらに付着した菌やウイルスを死滅させる検疫処理を成すことができ（殺菌及び殺ウイルス）、また、短時間の感染症検査やワクチン接種等のスペースとして利用することもできるため、感染症予防に寄与することができる。なお、空気清浄化ルーム１は、感染症流行時以外にも当然使用可能である。
【００８９】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００９０】
１  空気清浄化ルーム
２  ルーム本体部
２１  枠体
２１１  柱材
２１２  横架材
２２  区画体
２３  出入口
２４  換気口
２４１  開口部
２４２  扉部
２４３  延長導出部
２５  収納部
３  オゾン発生装置
３０  本体部
３１  蓋部
３２  制御ユニット部
３３  接続ポート部
３４  紫外線ランプ部
３５  給気口
３６  排気ファン
４  オゾン濃度測定センサー
５  制御装置
６  換気ファン
７  信号表示器
８  架台
【図１】
0003232923.tif 000003
【図２】
0003232923.tif 000004
【図３】
0003232923.tif 000005
【図４】
0003232923.tif 000006
【図５】
0003232923.tif 000007
【図６】
0003232923.tif 000008